(57)【特許請求の範囲】
【請求項１】
本体ユニットと、
利用者による前記本体ユニットの保持を支援する保持ユニットと、を備え、
前記本体ユニットは、所定の側部に、当該所定の側部の延設方向に平行に延びる回転軸心を有し、
前記保持ユニットは、
前記本体ユニットの前記所定の側部の側方において前記回転軸心を中心として回転可能なように前記本体ユニットに連結されているとともに、
当該保持ユニットを貫通する貫通孔と、
前記貫通孔を横断するように配置されたストラップと、を有し、
前記ストラップは、前記貫通孔の貫通方向においていずれの側にも引き出し可能なように設けられている、
電子機器。
【請求項２】
前記本体ユニット及び前記保持ユニットはそれぞれ略矩形の板状の形状を有し、
前記保持ユニットは、前記本体ユニットの前記所定の側部の側方において前記回転軸心を中心として回転可能なように、前記回転軸心に平行に配置された当該保持ユニットの所定の側部において、前記本体ユニットに連結され、
前記貫通孔の貫通方向は、当該保持ユニットの厚み方向であり、
前記ストラップは、前記貫通孔を、当該保持ユニットの前記所定の側部の延設方向に横断するように配置されている、
請求項１に記載の電子機器。
【請求項３】
前記本体ユニットは、タブレット型コンピュータである、
請求項２に記載の電子機器。
【請求項４】
前記保持ユニットは、カードに記録された情報を読み取り可能なカードリーダ機能を有する、
請求項３に記載の電子機器。
【請求項５】
前記貫通孔は、利用者の指をかけるための孔である、
請求項１から請求項４のいずれか１項に記載の電子機器。
【請求項６】
前記保持ユニットと前記本体ユニットとは、着脱可能なように連結されている、
請求項１から請求項５のいずれか１項に記載の電子機器。
【請求項７】
当該電子機器は、表示ユニットとキーボードユニットとを有するノートブック型コンピュータであり、
前記本体ユニットは、ノートブック型コンピュータの表示ユニットであり、
前記キーボードユニットは、前記表示ユニットに連結された連結プレートと、前記連結プレートに対して着脱可能なキーボード本体とを含み、
前記保持ユニットは、前記連結プレートである、
請求項２に記載の電子機器。
【発明の詳細な説明】
【技術分野】
【０００１】
本開示は、保持構造を有する電子機器に関する。
【背景技術】
【０００２】
特許文献１は、ノートブック型コンピュータ（電子機器）の本体部の下面に、ユーザが当該電子機器を保持するのをサポートするベルト（ストラップ）を設けた保持構造を開示している。
【先行技術文献】
【特許文献】
【０００３】
【特許文献１】ＷＯ２００９／１０１８００号公報
【発明の概要】
【発明が解決しようとする課題】
【０００４】
特許文献１の電子機器の保持構造では、ユーザは、ノートブック型コンピュータ（電子機器）の本体部の下面とベルトとの間に手を挿入し、当該本体部の下面に手を添えるような態様でのみ保持可能である。
【０００５】
本開示は、電子機器を種々の態様で保持可能とすることを目的とする。
【課題を解決するための手段】
【０００６】
本開示の電子機器は、
本体ユニットと、
利用者による当該電子機器の保持を支援する保持ユニットと、を備える。
本体ユニットは、所定の側部に、当該所定の側部の延設方向に平行に延びる回転軸心を有する。
保持ユニットは、
本体ユニットの所定の側部の側方において回転軸心を中心として回転可能なように本体ユニットに連結され、
当該保持ユニットを貫通する貫通孔と、
貫通孔を横断するように配置されたストラップと、を有する。
ストラップは、貫通孔の貫通方向においていずれの側にも引き出し可能であるように、設けられている。
【発明の効果】
【０００７】
本開示によれば、保持ユニットのストラップを、貫通孔の貫通方向において、いずれの側にも引き出すことができる。また、保持ユニットは、本体ユニットに対して相対回転可能である。したがって、保持ユニットと本体ユニットとの相対回転状態や、ストラップを引き出す側を、利用者において希望に応じて設定することができる。すなわち、利用者は、電子機器を種々の態様で保持することが可能となる。
【図面の簡単な説明】
【０００８】
【図１Ａ】実施形態１のタブレット型コンピュータの斜視図である。
【図１Ｂ】実施形態１のタブレット型コンピュータの斜視図である。
【図２Ａ】図１ＡのＡ−Ａ線による断面図である。
【図２Ｂ】図１ＢのＢ−Ｂ線による断面図である。
【図３】図１ＡのＣ−Ｃ線による断面図である。
【図４Ａ】カードリーダユニットを連結したタブレット型コンピュータの斜視図である。
【図４Ｂ】カードリーダユニットを連結したタブレット型コンピュータの斜視図である。
【図５】カードリーダユニットをその連結部側から見た斜視図である。
【図６Ａ】図１Ｂの矢印Ｄによる矢視図である。
【図６Ｂ】図６ＡのＥ−Ｅ線による断面図である。
【図７Ａ】図５の矢印Ｆによる矢視図である。
【図７Ｂ】図７ＡのＧ−Ｇ線による断面図である（係合状態）。
【図７Ｃ】図７ＡのＧ−Ｇ線による断面図である（係合解除状態）。
【図８】図５のＨ−Ｈ線による断面図である。
【図９Ａ】保持の態様の例を示す図である。
【図９Ｂ】保持の態様の例を示す図である。
【図９Ｃ】保持の態様の例を示す図である。
【図１０Ａ】実施形態２のノートブック型コンピュータの構成を示す斜視図である。
【図１０Ｂ】実施形態２のノートブック型コンピュータの構成を示す斜視図である。
【図１１Ａ】キーボード本体を取り外した状態でのノートブック型コンピュータの斜視図である。
【図１１Ｂ】キーボード本体を取り外した状態でのノートブック型コンピュータの斜視図である。
【図１２Ａ】キーボード本体の斜視図である。
【図１２Ｂ】キーボード本体の斜視図である。
【図１３Ａ】実施形態２の電子機器における保持の態様の第１の例を示す図である。
【図１３Ｂ】実施形態２の電子機器における保持の態様の第２の例を示す図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
１．構成
１−１．タブレット型コンピュータ
図１Ａ、図１Ｂは、実施形態１のタブレット型コンピュータの斜視図である。図１Ａ、図１Ｂ及びその他の図において、適宜、説明に用いる方向の定義を示している。上、下と示している方向は装置（タブレット型コンピュータ）の厚み方向（以下適宜「装置厚み方向」という）であり、タブレット型コンピュータのほぼ平行な主面に直行する方法である。左、右と示している方向は装置の幅方向（以下適宜「装置幅方向」という）である。奥、手前と示している方向は装置の奥行方向（以下適宜「装置奥行き方向」という）である。なお、これらの方向の定義は使用する際や設置する際の向きを限定するものではない。
【００１２】
タブレット型コンピュータ１は、本体部１００と、連結ユニット２００とを有する。
【００１３】
本体部１００は、タブレット型コンピュータ１としての主機能を提供する。
【００１４】
連結ユニット２００は、拡張機能を提供する種々の拡張機器をタブレット型コンピュータ１に対して着脱可能なように連結する。
【００１５】
１−１−１．本体部
本体部１００は、一方の主面１００ｆに表示部１０１を備える。表示部１０１は、例えば液晶ディスプレイにより構成される。また、表示部１０１は、タッチされた位置を示す信号を出力するポインティングデバイスとしての機能を有する。
【００１６】
また、本体部１００は、内部に、制御部、記憶部、各種の入出力インタフェース部品等を有する（図示せず）。記憶部は、例えばＲＡＭ、ＲＯＭ、ＨＤＤ、ＳＳＤ等を利用して構成され、プログラム（ＯＳ、各種アプリケーションブログラム等を含む）、及び種々のデータを格納している。プログラムは、本実施形態のタブレット型コンピュータ１の各種機能を実現するためのプログラムを含む。制御部は、例えばＣＰＵ、ＭＰＵ等を利用して構成される。制御部は、記憶部から読み出した上記プログラムに基づいて種々のデータ等を利用して演算処理を行うことにより、タブレット型コンピュータ１における各種の機能を実現する。入出力インタフェースは、拡張機器との間で各種信号を送受信するためのインタフェースである。
【００１７】
１−１−２．連結ユニット
連結ユニット２００は、本体部１００の装置奥行き方向の手前側の側部１００ａ（以下適宜「所定側部１００ａ」という）の側方に配置されている。本体部１００の所定側部１００ａは、装置幅方向中央において、装置奥行き方向の手前側に凹んだ形状を有しており、これにより、所定側部１００ａの側方に凹部１００ｂが形成されている。連結ユニット２００は、当該凹部１００ｂを利用して配置される。また、連結ユニット２００は、所定側部１００ａの延設方向に平行に延びる所定の回転軸心Ｘｒを中心として、収容凹部１００ｂ内において、ほぼ３６０°回転可能なように本体部１００により支持されている。図１Ａは、連結ユニット２００が所定回転位置にある状態を示す。所定回転位置とは、連結ユニット２００の連結部２０５が本体部１００の所定側部１００ａに収容凹部１００ｂ部分において近接し、かつ対向することにより、後述する連結部２０５が隠蔽される位置である。なお、対向は、正対に限定されない。図１Ｂは、連結ユニット２００が所定回転位置以外の回転位置にある状態の一例を示す。
【００１８】
連結ユニット２００は、当該連結ユニット２００の外表面を構成するハウジング２１０を有する。
【００１９】
図２Ａは、図１ＡのＡ−Ａ線による断面図である。図２Ｂは、図１ＢのＢ−Ｂ線による断面図である。図２Ａは、連結ユニット２００が第１回転位置にある状態を示す。図２Ｂは、連結ユニット２００が第２回転位置にある状態を示す。図２Ａに示すように、連結ユニット２００が所定回転位置にあるとき、連結ユニット２００の連結部２０５と、本体部１００の所定側部１００ａとが収容凹部１００ｂ部分において対向しかつ近接する。また、連結ユニット２００の連結部２０５と本体部１００の所定側部１００ａとが対向する状態において、連結ユニット２００の外表面と本体部１００の外表面とが略面一となるように、これらの外表面が形成されている。
【００２０】
一方、図２Ｂに示すように、連結ユニット２００が所定回転位置以外の位置にあるとき、連結ユニット２００の連結部２０５は、外部に露出する。なお、図２Ｂは、所定回転位置に対して１８０°回転させた状態を示す。これにより、連結ユニット２００の連結部２０５に拡張機器を装着することができる。
【００２１】
次に、連結ユニット２００を本体部１００により回転可能に支持する構造について説明する。図３は、図１ＡのＣ−Ｃ線による断面図である。図３に示すように、本体部１００の筐体１１０には、収容凹部１００ｂの側方の支持部１１１において、所定側部１００ａの延設方向（装置幅方向）に延びる回転軸孔１１１ａが形成されている。支持部１１１には、収容凹部１００ｂ側の面において、嵌合凹部１１１ｂが形成されている。連結ユニット２００のハウジング２１０の装置幅方向両端側には、嵌合突部２１１ｂが形成されている。嵌合突部２１１ｂは、嵌合凹部１１１ｂ内で、ネジ軸１１２（回転軸心Ｘｒ）を中心としてほぼ３６０°回転可能なように嵌合されている。これにより、連結ユニット２００は、本体部１００によりほぼ３６０°回転可能なように支持される。
【００２２】
また、本体部１００は、連結ユニット２００を、任意の回転位置において保持する保持機構を有する。保持機構としては種々の公知技術が利用可能であり、詳しい説明を省略する。
【００２３】
１−２．拡張機器
拡張機器は、例えばカードリーダユニット、バーコードリーダユニット、キーボードユニットである。ここでは、拡張機器がカードリーダユニットである場合を説明する。図４Ａ、図４Ｂは、カードリーダユニットを連結したタブレット型コンピュータの斜視図である。図５は、カードリーダユニット３００の斜視図である。図５は、カードリーダユニット３００において連結部が設けられた面側を示している。
【００２４】
これらの図に示すように、カードリーダユニット３００は、略矩形の長板状の形状を有する。カードリーダユニット３００の装置幅方向の一端側には、カードを挿入してスライド移動させることが可能なカード挿入用スリット３５１が形成されている。また、カードリーダユニット３００には、カード挿入用スリット３５１の近傍において、カードに記録された情報を読み取り可能なカードリーダ部３５０が内蔵されている。図５に示されるように、カードリーダユニット３００において連結部３１０が設けられる面には、コネクタ３３０が設けられている。
【００２５】
このような構成において、カード挿入用スリット３５１にカードが挿入されてスライド移動されると、カードリーダ部３５０は、カードに電気的あるいは磁気的に記録された情報を読み取る。カードリーダ部３５０は、読み取った情報をカードリーダユニット３００のコネクタ３３０から出力する。タブレット型コンピュータ１の本体部１００は、カードリーダユニット３００のコネクタ３３０から出力された情報を、連結ユニット２００のコネクタ２２０を介して入力する。タブレット型コンピュータ１の本体部１００は、入力した情報に基づいて種々の演算処理を行う。
【００２６】
本実施形態では、前述のように連結ユニット２００が本体部１００に対して回転可能である。そのため、カードリーダユニット３００は、タブレット型コンピュータ１に対して図４Ａや図４Ｂに示す回転位置やその中間の任意の回転位置に回転可能である。したがって、ユーザは、カードリーダユニット３００を、タブレット型コンピュータ１に対して所望の任意の回転位置に回転させ、その状態でカード挿入用スリット３５１にカードを挿入してスライドすることができる。
【００２７】
カードリーダユニット３００は、利用者が把持可能なハンドルとして利用可能なように構成されている。具体的に、カードリーダユニット３００は長板状の部材であり、その中央部に貫通孔３０１を形成することにより、利用者が把持可能な把持部３０２が形成されている。これにより、利用者は、図４Ａに示す状態のカードリーダユニット３００の把持部を把持することにより、カードリーダユニット３００を連結したタブレット型コンピュータ１を把持ハンドル付きの鞄のような態様で保持することが可能となる。
【００２８】
１−３．連結構造
連結ユニット２００と拡張機器とを着脱可能なように連結する連結構造について説明する。
【００２９】
１−３−１．連結ユニット側の連結構造
【００３０】
図２Ａ、図２Ｂに示すように、連結ユニット２００のハウジング２１０は、Ｕ字状ハウジング２１１と、連結板２１２とを有する。
【００３１】
Ｕ字状ハウジング２１１は、回転軸心Ｘｒに垂直な断面の形状がＵ字状の形状を有する。
【００３２】
連結板２１２は、回転軸心Ｘｒに垂直な断面の形状がＩ字状の形状を有する。
【００３３】
図６Ａは、図１Ｂの矢印Ｃによる矢視図である。図６Ｂは、図６ＡのＥ−Ｅ線による断面図である。
【００３４】
図６Ａ、図６Ｂに示すように、連結板２１２は、基準面部２１２ｃと、凹状壁部２１２ａと、凸状壁部２１２ｂとを有する。
【００３５】
凹状壁部２１２ａは、基準面部２１２ｃをハウジング２１０の内部側に凹ませることにより形成されている。凸状壁部２１２ｂは、基準面部２１２ｃをハウジング２１０の外部側に突出させることにより形成されている。凹状壁部２１２ａと凸状壁部２１２ｂとにより、操作部材収容空間Ｘが形成される。
【００３６】
操作部材収容空間Ｘには、操作部材２３１と、バネ２３２とが収容される。
【００３７】
操作部材２３１は、操作部２３１ａと、係合部２３１ｂと、バネ受け部２３１ｃとを有する。
【００３８】
操作部２３１ａは、Ｕ字状ハウジング２１１の側面に形成された開口２１１ａを介してハウジング２１０の外部に突出するように形成されている。開口２１１ａは、回転軸心Ｘｒの延設方向に延存する長孔である。
【００３９】
バネ受け部２３１ｃは、操作部材収容空間Ｘにおいて、凹状壁部２１２ａの縦壁部２１２ｄ側に延びる。
【００４０】
操作部材２３１は、操作部材収容空間Ｘ内において装置幅方向（回転軸心Ｘｒ方向）に移動可能である。
【００４１】
バネ２３２は、コイルバネである。バネ２３２の一端部はバネ受け部２３１ｃに嵌められ、バネ２３２の他端部は縦壁部２１２ｄに係止される。これにより、バネ２３２は、操作部材２３１を縦壁部２１２ｄから離れる側に付勢する。
【００４２】
１−３−２．拡張機器側の連結部の構造
拡張機器側の連結部の構造について説明する。図５は、カードリーダユニット３００の斜視図である。図５は、カードリーダユニット３００において連結部が設けられた面側を示している。なお、ここで、具体例として拡張機器がカードリーダユニット３００である場合について説明するが、拡張機器の連結部は、拡張機器の種類によらず同一の構造を有する。
【００４３】
カードリーダユニット３００は、タブレット型コンピュータ１の連結ユニット２００の連結部２０５に連結可能な連結部３１０を有する。連結部３１０は、左右一対の連結板３２０と、左右の連結板３２０の間に配置されたコネクタ３３０とを有する。連結部３１０は、カードリーダユニット３００の一方の主面３００ｒに設けられている。
【００４４】
図７Ａは、図５の矢印Ｆによる矢視図である。図７Ｂは、図７ＡのＧ−Ｇ線による断面図である。図７Ｂにおいて、カードリーダユニット３００と連結ユニット２００とを連結した状態での連結ユニット２００側の構造を二点鎖線で示す。
【００４５】
図５、図７Ａ、図７Ｂに示すように、連結板３２０は、突出部３２０ａと、係合凹部３２０ｂと、凹部３２０ｃとを有する。
【００４６】
突出部３２０ａは、連結板３２０の基準面部２１２ｃに対して外部側に突出する突部である。突出部３２０ａは、カードリーダユニット３００と連結ユニット２００とを連結した状態において、連結ユニット２００の連結板２１２の凹状壁部２１２ａと嵌合する形状及び位置関係で形成されている。
【００４７】
凹部３２０ｃは、連結板３２０の基準面部２１２ｃに対して内部側に凹む凹部である。凹部３２０ｃは、カードリーダユニット３００が連結ユニット２００に装着されたときに、連結ユニット２００の連結板２１２の凸状壁部２１２ｂと嵌合する形状及び位置関係で形成されている。
【００４８】
係合凹部３２０ｂは、突出部３２０ａの側部に形成された凹部である。係合凹部３２０ｂは、カードリーダユニット３００が連結ユニット２００に装着されたときに、連結ユニット２００の操作部材２３１の係合部２３１ｂと嵌合する形状及び位置関係で形成されている。
【００４９】
上記のような連結構造の作用について図７Ｂ、図７Ｃを参照して説明する。
【００５０】
まず図７Ｂを参照して、カードリーダユニット３００が連結ユニット２００に連結された状態においてユーザにより操作部２３１ａが操作されていない場合の作用を説明する。この場合、操作部材２３１は、二点鎖線で示すようにバネ２３２により縦壁部２１２ｄから離れる側に付勢される。これにより、連結ユニット２００の操作部材２３１の係合部２３１ｂと、カードリーダユニット３００の連結板３２０の係合凹部３２０ｂとは、互いに係合した状態となる。そのため、カードリーダユニット３００を連結ユニット２００から取り外すことが不可能となる。
【００５１】
一方、カードリーダユニット３００が連結ユニット２００に連結された状態において、ユーザにより操作部２３１ａが操作されると（回転軸心Ｘｒ方向において縦壁部２１２ｄ側に所定量移動されると）、図７Ｃに二点鎖線で示すように操作部材２３１が回転軸心Ｘｒ方向において縦壁部２１２ｄ側に移動される。これにより、連結ユニット２００の操作部材２３１の係合部２３１ｂと、カードリーダユニット３００の連結板３２０の係合凹部３２０ｂとの係合が解除される。そのため、カードリーダユニット３００を連結ユニット２００から取り外すことが可能となる。
【００５２】
１−４．カードリーダユニットの保持用構造
本実施形態では、上述のタブレット型コンピュータ１とカードリーダユニット３００とを連結することにより、タブレット型コンピュータ１とカードリーダユニット３００とを含むカードリーダ付きタブレット型コンピュータが構成される。
【００５３】
本実施形態では、カードリーダユニット３００は、利用者が把持可能なハンドルとしても利用可能なように構成されている。具体的に、カードリーダユニット３００は、略矩形の長板状の形状を有しており、その中央部に装置厚さ方向に貫通する貫通孔３０１を形成することにより、利用者が把持可能な把持部３０２が形成されている。これにより、利用者は、図４Ａに示すような状態のカードリーダユニット３００の把持部３０２を把持することにより、カードリーダユニット３００を連結したタブレット型コンピュータ１を把持ハンドル付きの鞄のような態様で保持できる。
【００５４】
また、本実施形態では、カードリーダユニット３００は、貫通孔３０１を横断するストラップ３６０を有する。ストラップ３６０は、装置厚さ方向（カードリーダユニット３００の主面に垂直な方向）においていずれの側にも引き出し可能なように設けられている。以下、具体的に説明する。
【００５５】
図８は、図５のＨ−Ｈ線による断面図である。カードリーダユニット３００の本体部３０５は、本体部材３６１と、第１固定部材３６３と、第２固定部材３６２と、ピン３７１とを有する。
【００５６】
本体部材３６１は、貫通孔３０１に対して装置幅方向で隣接する位置に、第１固定部材３６３が嵌められる第１凹部３６１ｂと、第２固定部材３６２が嵌められる第２凹部３６１ａとを有する。第１凹部３６１ｂには、突起３６１ｃが設けられている。第２凹部３６１ａには、ピン差し込み孔３６１ｄが設けられている。
【００５７】
第１固定部材３６３には、突起差し込み孔３６３ａが設けられている。
【００５８】
第２固定部材３６２には、ピン挿通孔３６２ａが設けられている。
【００５９】
ストラップ３６０は、その長手方向（装置幅方向）の一端側に、当該長手方向に延び、突起３６１ｃが挿通される孔３６０ｂを有する。ストラップ３６０は、その長手方向の他端側に、ピン３７１が挿通される長孔３６０ａを有する。
【００６０】
上記のような構成によれば、ストラップ３６０は、一端側において、第１固定部材３６３の本体部材３６１の突起３６１ｃが孔３６０ｂに挿通された状態で、第１固定部材３６３が本体部材３６１の第１凹部３６１ｂに嵌合固定されることにより、本体部３０５に固定される。
【００６１】
また、ストラップ３６０は、他端側において、ピン３７１が長孔３６０ａ及び第１固定部材３６３のピン差し込み孔３６１ｄに挿通された状態で、第２固定部材３６２が本体部材３６１の第２凹部３６１ａに嵌合固定されることにより、長手方向において長孔３６０ａの長さの範囲内で移動可能なように、本体部３０５に固定される。これにより、ベルトを、図８（ｂ）に実線や二点鎖線で示すように、本体部３０５の主面に対して垂直な方向においていずれの側にも引き出すことができる。また、図８（ａ）のようにストラップ３６０を引き出さない状態とすることもできる。
【００６２】
上記のように、カードリーダユニット３００をタブレット型コンピュータ１に対して相対的に回転可能に構成し、かつ、ストラップ３６０を装置厚み方向においていずれの側にも引き出し可能に構成したことにより、カードリーダユニット３００とタブレット型コンピュータ１とからなるカードリーダ付きタブレット型コンピュータを種々の態様で保持することができる。以下に、保持の態様の例を説明する。
【００６３】
２．カードリーダ付きタブレット型コンピュータの保持の態様の例
図９Ａ（ａ）は、保持の態様の第１の例を示す図である。図９Ｂは、本第１の例を、タブレット型コンピュータ１の第２の主面１００ｒ側から見た状態で示す図である。第１の例では、カードリーダユニット３００を、タブレット型コンピュータ１の第２の主面１００ｒに重なるように回転させた状態を示す。この状態でカードリーダ付きタブレット型コンピュータを保持するためには、ストラップ３６０をカードリーダユニット３００の第１の主面３００ｆ側に引き出す。そして、人差し指、中指、薬指、小指をカードリーダユニット３００の第１の主面３００ｆとストラップ３６０との間に挿入するとともに、親指でストラップ３６０を押さえる。
【００６４】
図９Ａ（ｂ）は、保持の態様の第２の例を示す図である。第２の例では、カードリーダユニット３００を、タブレット型コンピュータ１の第２の主面１００ｒ側に、タブレット型コンピュータ１に対して約９０°の角度をなすように回転させた状態を示す。この状態でカードリーダ付きタブレット型コンピュータを保持するためには、ストラップ３６０をカードリーダユニット３００の第１の主面３００ｆ側に引き出す。そして、人差し指、中指、薬指、小指をカードリーダユニット３００の第１の主面３００ｆとストラップ３６０との間に挿入して第１の主面３００ｆを下側から支えるとともに、親指をタブレット型コンピュータ１の第１の主面１００ｆ（表示面側の面）に添える。
【００６５】
図９Ａ（ｃ）は、保持の態様の第３の例を示す図である。第３の例では、カードリーダユニット３００を、図９Ａ（ａ）の状態から約１８０°回転させた状態を示す。この状態でカードリーダ付きタブレット型コンピュータを保持するためには、ストラップ３６０をカードリーダユニット３００の第２の主面３００ｒ側に引き出す。そして、人差し指、中指、薬指、小指をカードリーダユニット３００の第２の主面３００ｒとストラップ３６０との間に挿入して、タブレット型コンピュータ１の第２の主面１００ｒに添えるとともに、貫通孔３０１を介して親指をカードリーダユニット３００の第１の主面３００ｆに添える。
【００６６】
なお、本実施形態のカードリーダユニット３００によれば、ストラップ３６０を利用しない保持も可能である。図９Ｃは、保持の態様の第４の例を示す図である。第４の例では、カードリーダユニット３００をタブレット型コンピュータ１に対して、第３の例と同様に回転させ、かつカードリーダユニット３００をタブレット型コンピュータ１に対して上に配置し、把持部３０２を把持する。これにより、カードリーダユニット３００を吊り下げハンドルとして利用可能である。
【００６７】
３．まとめ
本実施形態の電子機器は、
タブレット型コンピュータ１（本体ユニット）と、
利用者によるタブレット型コンピュータ１の保持を支援するカードリーダユニット３００（保持ユニット）と、を備える。
カードリーダユニット３００（保持ユニット）は、
タブレット型コンピュータ１の所定側部１００ａ（所定の側部）の側方において回転軸心Ｘｒを中心として回転可能となるようにタブレット型コンピュータ１に連結されているとともに、
当該カードリーダユニット３００を貫通する貫通孔３０１と、
貫通孔３０１を横断するように配置されたストラップ３６０と、を有する。
ストラップ３６０は、貫通孔３０１の貫通方向においていずれの側にも引き出し可能であるように、設けられている。
【００６８】
これにより、カードリーダユニット３００のストラップ３６０を、貫通孔３０１の貫通方向においていずれの側にも引き出すことができる。また、カードリーダユニット３００は、タブレット型コンピュータ１に対して相対回転可能である。したがって、カードリーダユニット３００の相対回転状態や、ストラップ３６０を引き出す側を、利用者において希望に応じて設定することができる。すなわち、利用者は、カードリーダ付きタブレット型コンピュータを種々の態様で保持することが可能となる。
【００６９】
本実施形態において、
タブレット型コンピュータ１及びカードリーダユニット３００はそれぞれ略矩形の板状の形状を有し、
カードリーダユニット３００は、タブレット型コンピュータ１の所定側部１００ａの側方において回転軸心Ｘｒを中心として回転可能なように、回転軸心Ｘｒに平行に配置された当該カードリーダユニット３００の所定側部１００ａにおいて、タブレット型コンピュータ１に連結され、
貫通孔３０１の貫通方向は、当該カードリーダユニット３００の厚み方向であり、
ストラップ３６０は、貫通孔３０１を、当該カードリーダユニット３００の所定側部１００ａの延設方向に横断するように配置されている。
【００７０】
これにより、略矩形の板状の形状を有するタブレット型コンピュータ１及びカードリーダユニット３００を含むカードリーダ付きタブレット型コンピュータにおいて、利用者は、カードリーダ付きタブレット型コンピュータを種々の態様で保持することが可能となる。
【００７１】
本実施形態において、
本開示の本体ユニットは、タブレット型コンピュータ１である。
【００７２】
これにより、カードリーダユニット３００で読み取られた情報に対して、ケーブル接続等を行うことなく、タブレット型コンピュータ１において種々の処理をすること等が可能となる。
【００７３】
本実施形態において、
本開示の保持ユニットは、カードリーダユニット３００であり、カードに記録された情報を読み取り可能なカードリーダ機能を有する。
【００７４】
これにより、保持ユニットを、カードリーダとして利用することが可能となる。
【００７５】
本実施形態において、
貫通孔３０１は、利用者の指をかけるための孔である。
【００７６】
これにより、当該カードリーダ付きタブレット型コンピュータの利用者は、貫通孔３０１に利用者の指をかけることにより、当該カードリーダ付きタブレット型コンピュータを、例えば吊り下げ状態で保持することが可能となる。
【００７７】
本実施形態において、
タブレット型コンピュータ１とカードリーダユニット３００とは、着脱可能なように連結されている。
【００７８】
これにより、カードリーダユニット３００を利用する必要がない場合には、カードリーダユニット３００を取り外して、タブレット型コンピュータ１を単体で利用することが可能となる。
【００７９】
（実施形態２）
図１０Ａ、図１０Ｂは、実施形態２のノートブック型コンピュータ１０００の斜視図である。ノートブック型コンピュータ１０００は、表示ユニット１１００と、キーボードユニット１２００と、ヒンジ１３００とを有する。ヒンジ１３００は、平行な２つの回転軸１３０１、１３０２を有し、表示ユニット１１００とキーボードユニット１２００とを、これらが相対的に概ね３６０°回転可能なように連結する。
【００８０】
表示ユニット１１００は、第１の主面１１００ｆに表示部１１０１を有する。
【００８１】
キーボードユニット１２００は、キーボード本体１２２０と、取り付けプレート１２１０とを含む。キーボードユニット１２００は、一方の主面に、複数のキー１２０１と、タッチパッド１２０２とを有する。取り付けプレート１２１０は、ヒンジ１３００を介して表示ユニット１１００に連結されている。キーボード本体１２２０は、取り付けプレート１２１０に対して着脱可能である。
【００８２】
図１１Ａ、図１１Ｂは、キーボード本体１２２０を取り外した状態でのノートブック型コンピュータ１０００の斜視図である。図１１Ａは、この状態のノートブック型コンピュータ１０００を表示ユニット１１００の第１の主面１１００ｆ側から見た状態で示し、図１１Ｂは表示ユニット１１００の第２の主面１１００ｒ側から見た状態で示す。図１２Ａ、図１２Ｂは、キーボード本体１２２０の斜視図である。図１２Ａは、キーボード本体１２２０をその上面側から見た状態で示し、図１２Ｂは下面側から見た状態で示す。
【００８３】
図１２Ａに示すように、キーボード本体１２２０は、上面に、複数のキー１２０１と、タッチパッド１２０２とを有する。また、図１２Ｂに示すように、キーボード本体１２２０の下面には段差が形成されており、段差の前側部分１２２０ａの後面１２２０ｂには、コネクタ１２２２と、左右一対の係合凸部１２２１とが設けられている。
【００８４】
図１１Ａに示すように、取り付けプレート１２１０の上面には、凹部１２１５が設けられている。凹部１２１５は、図１２Ａ、図１２Ｂのキーボード本体１２２０の後側部分１２２０ｃが嵌まる部分である。また、取り付けプレート１２１０の前端面１２１０ａには、コネクタ１２１３と、左右一対の係合凹部１２１２とが設けられている。係合凹部１２１２は、図１２Ａ、図１２Ｂのキーボード本体１２２０の係合凸部１２２１が嵌まる凹部である。係合凹部１２１２に嵌まった係合凸部１２２１は、取り付けプレート１２１０に内蔵された係合部材（図示せず）に係合し、外れないようにロックされる。キーボード本体１２２０が取り付けプレート１２１０に取り付けられたときに、コネクタ１２１３は、キーボード本体１２２０のコネクタ１２２２と接続される。
【００８５】
図１１Ｂに示すように、取り付けプレート１２１０の下面には、左右一対の操作部材１２１１が設けられている。操作部材１２１１は、利用者により操作される部材であり、操作されたときにキーボード本体１２２０の係合凸部１２２１と係合部材との係合を解除し、キーボード本体１２２０が取り付けプレート１２１０から取り外されることを可能とする。
【００８６】
図１１Ａ、図１１Ｂに示すように、取り付けプレート１２１０には、装置厚さ方向に貫通する貫通孔１２１４が形成されている。貫通孔１２１４は、装置幅方向に長い長孔である。
【００８７】
また、取り付けプレート１２１０には、貫通孔１２１４を装置幅方向に横断するストラップ１５００が設けられている。
【００８８】
ストラップ１５００は、実施形態１同様の構造により、取り付けプレート１２１０に対して取り付けられ、取り付けプレート１２１０の装置厚み方向に引き出し可能に構成されている。
【００８９】
実施形態２によれば、取り付けプレート１２１０を表示ユニット１１００に対して相対的に回転可能に構成し、かつ、ストラップ１５００を装置厚さ方向に引き出し可能に構成したことにより、キーボード本体１２２０を取り付けプレート１２１０から取り外した状態のノートブック型コンピュータ１０００を種々の態様で保持することができる。以下に、保持の態様の例を説明する。
【００９０】
図１３Ａは、実施形態２のノートブック型コンピュータ１０００における保持の態様の第１の例を示す図である。第１の例では、キーボード本体１２２０を取り外した状態で、取り付けプレート１２１０を表示ユニット１１００の第２の主面１１００ｒに重なるように回転させた状態を示す。この場合、ストラップ１５００を取り付けプレート１２１０の凹部１２１５の上面１２１０ｆ側に引き出す。そして、人差し指、中指、薬指、小指を当該上面１２１０ｆとストラップ１５００との間に挿入するとともに、親指でストラップ１５００を押さえた状態でノートブック型コンピュータ１０００を保持する。
【００９１】
図１３Ｂは、実施形態２のノートブック型コンピュータ１０００における保持の態様の第２の例を示す図である。第２の例では、表示ユニット１１００をキーボードユニット１２００に対して、一般的なノートブック型パソコン的な態様で開いた状態を示す。この場合、ストラップ１５００をキーボードユニット１２００の下面１２００ｒ側に引き出す。そして、人差し指、中指、薬指、小指をキーボードユニット１２００の下面１２００ｒとストラップ１５００との間に挿入するとともに、親指でストラップ１５００を押さえた状態でノートブック型コンピュータ１０００を保持する。
【００９２】
本実施形態において、
本開示の電子機器は、表示ユニット１１００とキーボードユニット１２００とを有するノートブック型コンピュータである。
本開示の本体ユニットは、ノートブック型コンピュータ１０００の表示ユニット１１００である。
キーボードユニット１２００は、表示ユニット１１００に連結された取り付けプレート１２１０（連結プレート）と、取り付けプレート１２１０に対して着脱可能なキーボード本体１２２０とを含み、
本開示の保持ユニットは、取り付けプレート１２１０である。
【００９３】
これにより、実施形態２のノートブック型コンピュータ１０００（電子機器）においても、取り付けプレート１２１０のストラップ１５００を、貫通孔１２１４の貫通方向においていずれの側にも引き出すことができる。また、取り付けプレート１２１０は、表示ユニット１１００に対して相対回転可能である。したがって、取り付けプレート１２１０の相対回転状態や、ストラップ１５００を引き出す側を、利用者において希望に応じて設定することができる。すなわち、利用者は、ノートブック型コンピュータ１０００を種々の態様で保持することが可能となる。
【００９４】
（他の実施形態）
以上のように、本開示における技術の例示として、実施の形態１を説明した。しかしながら、本開示における技術は、これに限定されず、適宜、変更、置き換え、付加、省略などを行った実施の形態にも適用可能である。
そこで、以下、他の実施の形態を説明する。
【００９５】
前記実施形態では、電子機器における本体ユニットとして、タブレット型コンピュータ１やノートブック型コンピュータ１０００の表示ユニット１１００を示した。しかし、本開示において、本体ユニットはこれに限定されない。本体ユニットは、撮像装置ユニット、映像再生装置ユニット、音楽再生装置ユニット、記憶媒体装置ユニット、外部記憶媒体再生及び／または記録装置ユニットなどであってもよい。
【００９６】
以上のように、本開示における技術の例示として、実施の形態を説明した。そのために、添付図面および詳細な説明を提供した。
【００９７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００９８】
また、上述の実施の形態は、本開示における技術を例示するためのものであるから、特許請求の範囲またはその均等の範囲において種々の変更、置き換え、付加、省略などを行うことができる。
【産業上の利用可能性】
【００９９】
本開示は、種々の電子機器に広く利用可能である。
【符号の説明】
【０１００】
１  タブレット型コンピュータ
１００  本体部
１００ａ  所定側部
１００ｆ  第１の主面
１００ｒ  第２の主面
１０１  表示部
１１０  筐体
１１１  支持部
１１１ａ  回転軸孔
１１１ｂ  嵌合凹部
１１１  支持部
１１２  ネジ軸
２００  連結ユニット
２１０  ハウジング
２１１  Ｕ字状ハウジング
２１１ａ  開口
２１１ｂ  嵌合突部
２１２  連結板
２１２ａ  凹状壁部
２１２ｂ  凸状壁部
２１２ｃ  基準面部
２１２ｄ  縦壁部
２２０  コネクタ
２３１  操作部材
２３１ａ  操作部
２３１ｂ  係合部
２３１ｃ  バネ受け部
２３２  バネ
３００  カードリーダユニット
３００ｆ  第１の主面
３００ｒ  第２の主面
３０１  貫通孔
３０２  把持部
３１０  連結部
３２０  連結板
３２０ａ  突出部
３２０ｂ  係合凹部
３２０ｃ  凹部
３２０ｄ  基準面部
３３０  コネクタ
３５０  カードリーダ部
３５１  カード挿入用スリット
３６０  ストラップ
３６０ａ  長孔
３６０ｂ  孔
３６１  本体部材
３６１ａ  第２凹部
３６１ｂ  第１凹部
３６１ｃ  突起
３６１ｄ  ピン差し込み孔
３６２  第２固定部材
３６２ａ  ピン挿通孔
３６３  第１固定部材
３６３ａ  突起差し込み孔
３７１  ピン
１０００  ノートブック型コンピュータ
１１００  表示ユニット
１１００ｆ  第１の主面
１１００ｒ  第２の主面
１１０１  表示部
１２００  キーボードユニット
１２００ｒ  下面
１２０１  キー
１２０２  タッチパッド
１２１０  取り付けプレート
１２１０ｆ  上面
１２１１  操作部材
１２１２  係合凹部
１２１４  貫通孔
１２１５  凹部
１２２０  キーボード本体
１２２０ｂ  後面
１２２１  係合凸部
１２２２  コネクタ
１３００  ヒンジ
１３０１、１３０２  回転軸
１５００  ストラップ
Ｘ  操作部材収容空間
【図１Ａ】
0006474002.tif 000002
【図１Ｂ】
0006474002.tif 000003
【図２Ａ】
0006474002.tif 000004
【図２Ｂ】
0006474002.tif 000005
【図３】
0006474002.tif 000006
【図４Ａ】
0006474002.tif 000007
【図４Ｂ】
0006474002.tif 000008
【図５】
0006474002.tif 000009
【図６Ａ】
0006474002.tif 000010
【図６Ｂ】
0006474002.tif 000011
【図７Ａ】
0006474002.tif 000012
【図７Ｂ】
0006474002.tif 000013
【図７Ｃ】
0006474002.tif 000014
【図８】
0006474002.tif 000015
【図９Ａ】
0006474002.tif 000016
【図９Ｂ】
0006474002.tif 000017
【図９Ｃ】
0006474002.tif 000018
【図１０Ａ】
0006474002.tif 000019
【図１０Ｂ】
0006474002.tif 000020
【図１１Ａ】
0006474002.tif 000021
【図１１Ｂ】
0006474002.tif 000022
【図１２Ａ】
0006474002.tif 000023
【図１２Ｂ】
0006474002.tif 000024
【図１３Ａ】
0006474002.tif 000025
【図１３Ｂ】
0006474002.tif 000026